(57)【要約】      （修正有）【課題】構造及び組み立てが簡単で、操作が安全な傘巣を改良した傘を提供する。【解決手段】傘中棒１と、前記傘中棒１の頂端に固定された上傘巣１１及び前記傘中棒１に嵌めて設けられた下傘巣１２を有する傘巣１０と、前記傘巣１０にピン接合された傘面骨格２０とを備えており、前記上傘巣１１及び下傘巣１２のいずれにも基体１３及び基体１３に設置されて傘面骨を接続するためのピン接合巣１４を含む。２つ毎の前記ピン接合巣１４は対称して１つの前記基体１３に分布し、且つ前記ピン接合巣１４と前記基体１３は嵌めて止めて固定接続しており、前記基体１３に接続挿入キーが設置されており、前記ピン接合巣１４上前記傘面骨格２０がピン接合された一側に対応する他側に前記接続挿入キーと整合する嵌め溝が開かれている。【選択図】図１
0003194032.tif 000002
【実用新案登録請求の範囲】
【請求項１】
傘中棒と、前記傘中棒頂端に固定された上傘巣及び前記傘中棒上に摺動可能に嵌めている下傘巣を有する傘巣と、前記傘巣にピン接合された傘面骨格と、を備えている傘巣を改良した傘であって、
前記上傘巣及び下傘巣のいずれにも基体と、基体に設置されて傘面骨を接続するためのピン接合巣と含み、２つ毎の前記ピン接合巣は、対称して１つの前記基体に分布しており、且つ前記ピン接合巣は前記基体と嵌めて止めることによって固定接続し、前記基体に接続挿入キーが設置されており、前記ピン接合巣上の前記傘面骨格がピン接合された一側に対応する他側に前記接続挿入キーと整合する嵌め溝が開かれており、前記ピン接合巣に第１の貫通孔が設けられており、前記第１の貫通孔は前記嵌め溝及び前記接続挿入キーを貫通し、前記第１の貫通孔に接続部材が貫通設置されており、前記ピン接合巣に傘骨ピン接合位置が成形され、前記傘面骨格は、前記傘骨ピン接合位置にピン接合されていることを特徴とする傘巣を改良した傘。
【請求項２】
各前記ピン接合巣の上に傘骨ピン接合位置が成形され、前記傘骨ピン接合位置は、中間ピン接合位置及び中間ピン接合位置の両側に位置し、互いに対称する側辺ピン接合位置を備えており、前記中間ピン接合位置の両側辺に第２の貫通孔が開かれており、前記中間ピン接合位置両側の２つの側辺ピン接合位置が共用する側辺は前記第１の貫通孔により貫通されることを特徴とする請求項１に記載の傘巣を改良した傘。
【請求項３】
前記下傘巣上の基体上の前記ピン接合巣の下方に上ハジキに対応するキー孔が開かれており、前記キー孔にキーベースが設置され、前記キーベース中に前記キーベースに前記傘中棒の径方向に対して運動可能なボタンが設置されており、前記ボタンが前記キーベースに挿入設置された一端に前記傘中棒の軸方向に対応して上バンプ及び下バンプが設置され、前記キーベースの両側壁の間に前記ボタンの下バンプの運動軌跡に対応して止めリブが設置されており、前記ピン接合巣の最下端の前記上バンプの運動軌跡に対応してストッパーが設置されていることを特徴とした請求項２に記載の傘巣を改良した傘。
【考案の詳細な説明】
【技術分野】
【０００１】
本実用新案は、傘に関し、特に傘巣を改良した傘に関する。
【背景技術】
【０００２】
傘は人々の日常生活における常用品であり、量産する製品でもあり、傘はどれも傘中棒及び傘巣があり、前記傘巣は傘において上傘巣と下傘巣とを備えており、一般的にセットで使用され、傘において傘骨を支え、骨間の接続という役割し、傘の骨組みを構成する。
【０００３】
そのうち、上傘巣は前記傘中棒の頂端に固定され、下傘巣は傘中棒に嵌めて設置されている。傘巣は円盤構造であり、傘骨とピン接合する溝が円盤部材の周囲に均一に配置され、使用中に傘骨は前記溝に挿入して設置されており、前記溝の溝辺にピン接合孔が開かれており、傘骨は前記溝に挿入した部分にも孔が開かれており、１本のピン接合鉄製ワイヤーは前述した各孔を貫通し、最終的に傘骨を前記傘巣にピン接合し；現在の市場の如何なる傘に対しても、その傘中棒に設計された傘中棒に沿って摺動可能な下傘巣は、いずれも傘全体が開閉動作を行うことができるための必要な構造であり、実践において傘中棒にいずれも上ハジキが設置されており、傘中棒に上ハジキを設置するという細部構造は、公知常識であるため、図において図示しておらず、傘が作業状態、つまり、展開状態にある時に、上ハジキによって下方から下傘巣を止めることによって、傘が全体的に展開でき、且つ相対的に安定する状態になる。
【考案の概要】
【考案が解決しようとする課題】
【０００４】
上述したようなものは従来の傘構造であり、その構造上に製造過程及び実用操作過程の欠陥が存在し、具体的に以下のように説明する。
【０００５】
一．傘巣に存在する問題は、組み立てる時に極に複雑であるということであり、まず、全ての傘骨を傘巣上の傘骨ピン接合位置に取付て、更に、１本の鉄製ワイヤーを全ての傘骨上の傘骨ピン接合孔に貫通し、全ての傘骨を一つ一つ傘巣の対応する傘骨ピン接合位置に固定し、特に鉄製ワイヤーを貫通設置する時に全ての傘骨を傘巣から離れないようにする必要があり、労力も時間もかかるために、傘の人工コストが高くなってしまうので、明らかに先行技術を更に改進する必要がある。
【０００６】
二．前述した上ハジキ及び下傘巣の構造にとって、従来の係合接続方式はいずれも上ハジキを利用して下方から下傘巣を止め、傘を開く時に、使用者は指で下傘巣を傘中棒に沿って上に摺動するように押し動かして、下傘巣が上ハジキを超えるまでして、上ハジキは外へ弾き出して、下傘巣の下方に支えて、下傘巣に対して軸方向の位置制限を達するが、上ハジキがはじき出す時に、使用者の指は下傘巣の下端面と上ハジキとの間に挟まれて、怪我し易い；傘を閉める時に、使用者のは指で上ハジキを傘中棒の軸面の下に押し込むとともに、下傘巣を下へ移動させるように引き動かす必要があり、このような操作の動作も指を挟んで傷つけやすく、且つ前記上ハジキを下に押すに大きな力が必要であるため、上ハジキは指を痛ませ、子供は前記上ハジキを押し難い。
【０００７】
以上は、伝統的な開傘固定構造が具体的な実施時に存在する欠陥であり、更に改進する必要がある。
【０００８】
本実用新案により傘巣を改良した傘が提供され、それは、伝統的な傘と同一の性質である製品であり、それが解決しようとする主な技術的課題は、従来の傘巣と傘骨との間の接続構造が複雑であり、組み立てに不利であり、且つ上ハジキを採用して下傘巣を止めるという開傘固定構造は対応する安全操作設計が欠如するため、手に傷つけやすい上に、力が弱い子供の使用にも不利である。以上は、本実用新案が解決しようとする主な技術的課題である。
【課題を解決するための手段】
【０００９】
前記技術的課題を解決するために、本実用新案が採用する技術方案は、以下の通りである。本実用新案は、傘中棒と、前記傘中棒頂端に固定された上傘巣及び前記傘中棒上に摺動可能に嵌めている下傘巣を有する傘巣と、前記傘巣にピン接合された傘面骨格と、を備えており、前記上傘巣及び下傘巣のいずれにも基体と、基体に設置されて傘面骨を接続するためのピン接合巣と含み、２つ毎の前記ピン接合巣は、対称して１つの前記基体に分布しており、且つ前記ピン接合巣は前記基体と嵌めて止めることによって固定接続し、前記基体に接続挿入キーが設置されており、前記ピン接合巣上の前記傘面骨格がピン接合された一側に対応する他側に前記接続挿入キーと整合する嵌め溝が開かれており、前記ピン接合巣に第１の貫通孔が設けられており、前記第１の貫通孔は前記嵌め溝及び前記接続挿入キーを貫通し、前記第１の貫通孔に接続部材が貫通設置されており、前記ピン接合巣に傘骨ピン接合位置が成形され、前記傘面骨格は、前記傘骨ピン接合位置にピン接合されている、傘巣を改良した傘を提供している。
【００１０】
好ましくのは、各前記ピン接合巣の上に傘骨ピン接合位置が成形され、前記傘骨ピン接合位置は、中間ピン接合位置及び中間ピン接合位置の両側に位置し、互いに対称する側辺ピン接合位置を備えており、前記中間ピン接合位置の両側辺に第２の貫通孔が開かれており、前記中間ピン接合位置両側の２つの側辺ピン接合位置が共用する側辺は前記第１の貫通孔により貫通される。
【００１１】
好ましくのは、前記下傘巣上の基体上の前記ピン接合巣の下方に上ハジキに対応するキー孔が開かれており、前記キー孔にキーベースが設置され、前記キーベース中に前記キーベースに前記傘中棒の径方向に対して運動可能なボタンが設置されており、前記ボタンが前記キーベースに挿入設置された一端に前記傘中棒の軸方向に対応して上バンプ及び下バンプが設置され、前記キーベースの両側壁の間に前記ボタンの下バンプの運動軌跡に対応して止めリブが設置されており、前記ピン接合巣の最下端の前記上バンプの運動軌跡に対応してストッパーが設置されている。
【考案の効果】
【００１２】
従来技術と比べて、本実用新案の有益な効果は、下記の通りである。
【００１３】
一．ピン接合巣と基体の分離可能な傘巣構造を採用して、傘面骨格を便利に前記傘巣にピン接合し、まず、前記傘面骨格を前記ピン接合巣にピン接合してから、前記ピン接合巣を前記基体に嵌めて止めて固定して、傘の組み立てに利便性を提供することができ；同時に、前記ピン接合巣は前記基体に分離可能に設置されるため、前記ピン接合巣は交換可能であるので、修理及び交換に便利であり；また、傘の製造時のモデリングの必要に応じて異なった形式の傘骨のピン接合位置のピン接合巣を交換することができる。
【００１４】
二．前記ボタンを前記ボタンベースに置いてから、前記ピン接合巣を前記基体に嵌めて止めて固定接続して、前記ピン接合巣の下端のストッパーを前記上バンプの運動軌跡に止めさせて、前記キーベースから滑り出すことを制限することできる本実用新案の構造及び組み立ては簡単であり、前記ボタンに対して単独な組み立て工程を増加する必要がなく、傘面骨組みを組み立てる時に、前記ピン接合巣を設置しておくことさえすれば、組み立てを完成でき、前記上ハジキが前記ボタンベース中に弾くため、前記上ハジキの弾きは使用者を傷つけなく、且つ前記ボタンを利用して前記上ハジキを簡単に押すことができる。
【図面の簡単な説明】
【００１５】
【図１】本実用新案の立体構造略図である。
【図２】傘巣立体構造略図である。
【図３】本実用新案の傘巣と傘中棒の組み立て分解略図である。
【図４】本実用新案の下傘巣の横断分解略図である。
【考案を実施するための形態】
【００１６】
以下、図１乃至４及び適切な実施例を組み合わせて、本実用新案の提出した傘巣を改良した傘についてより詳細な説明をする。
【００１７】
本実用新案は、傘中棒１と、前記傘中棒１の頂端に固定された上傘巣１１及び前記傘中棒１に嵌めて設けられた下傘巣１２を有する傘巣１０と、前記傘巣１０にピン接合された傘面骨格２０とを備えており、前記上傘巣１１及び下傘巣１２のいずれにも基体１３及び基体１３に設置されて傘面骨を接続するためのピン接合巣１４を含み、２つ毎の前記ピン接合巣１４は対称して１つの前記基体１３に分布し、且つ前記ピン接合巣１４と前記基体１３は嵌めて止めて固定接続しており、前記基体１３に接続挿入キー１３１が設置されており、前記ピン接合巣１４上前記傘面骨格２０がピン接合された一側に対応する他側に前記接続挿入キー１３１と整合する嵌め溝１４１が開かれており、前記ピン接合巣に第１の貫通孔１４２が設けられており、前記第１の貫通孔１４２は前記嵌め溝１４１及び前記接続挿入キー１３１を貫通し、前記第１の貫通孔１４２に接続部材が貫通設置されており、前記ピン接合巣１４に傘骨ピン接合位置１４３が成形され、前記傘面骨格２０は、前記傘骨ピン接合位置１４３にピン接合されている、傘巣を改良した傘を提供している。
【００１８】
本実用新案は、具体的な実施時に、ピン接合巣１４と基体１３が分離可能な傘巣構造を採用して、傘面骨格２０を便利に前記傘巣１０にピン接合し、まず、前記傘面骨格２０を前記ピン接合巣１４にピン接合してから、前記ピン接合巣１４を前記基体１３に嵌めて止めて固定して、傘の組み立てに利便性を提供することができ；同時に、前記ピン接合巣１４は前記基体１３に分離可能に設置されるため、前記ピン接合巣１４は交換可能であるので、修理及び交換に便利であり；また、傘の製造時のモデリングの必要に応じて異なった形式の傘骨のピン接合位置１４３のピン接合巣１４を交換することができる。
【００１９】
よい実施例：各前記ピン接合巣１４の上に傘骨ピン接合位置１４３が成形され、前記傘骨ピン接合位置１４３は、中間ピン接合位置１４３ａ及び中間ピン接合位置１４３ａの両側に位置し、互いに対称する側辺ピン接合位置１４３ｂを備えており、前記中間ピン接合位置１４３ａの両側辺に第２の貫通孔１４４が開かれており、前記中間ピン接合位置１４３ａ両側の２つの側辺ピン接合位置１４３ｂが共用する側辺は前記第１の貫通孔１４２  により貫通される。本実施例は、具体的な実施時に、前記傘面骨格２０はそれぞれ前記中間ピン接合位置１４３ａと側辺ピン接合位置１４３ｂにヒンジセットされており、第２の貫通孔１４４にピンを設置して前記中間ピン接合位置１４３中にヒンジセットした傘面骨格をピン接合し、前記第１の貫通孔１４２に接続部材を貫通設置して前記ピン接合巣１４を固定するとともに、前記側辺ピン接合位置１４３ｂにヒンジセットした傘面骨格をピン接合する。
【００２０】
よい実施例：前記下傘巣１２上の基体１３上の前記ピン接合巣１４の下方に上ハジキに対応するキー孔１５が開かれており、前記キー孔１５にキーベース１６が設置され、前記キーベース１６中に前記キーベース１６に前記傘中棒１の径方向に対して運動可能なボタン１７が設置されており、前記ボタン１７が前記キーベース１６に挿入設置された一端に前記傘中棒１の軸方向に対応して上バンプ１７１及び下バンプ１７１が設置され、前記キーベース１６の両側壁の間に前記ボタン１７の下バンプ１７２の運動軌跡に対応して止めリブ１６が設置されており、前記ピン接合巣１４の最下端の前記上バンプ１７１の運動軌跡に対応してストッパー１４５が設置されており、前記ストッパー１４５は前記上バンプ１７１を前記キーベース１６に制限して、前記上バンプ１７１は前記キーベース１６から滑りだすことを防止する。
【００２１】
本実施例は、具体的に実施する時に、前記ボタン１７を前記ボタンベース１６に置いてから、前記ピン接合巣１４を前記基体１３に嵌めて止めて固定接続して、前記ピン接合巣１４の下端のストッパー１４５を前記上バンプ１７１の運動軌跡に止めさせて、前記キーベース１６から滑り出すことを制限することさえすればよいという本実用新案の構造及び組み立ては簡単であり、前記ボタン１７に対して単独な組み立て工程を増加する必要がなく、傘面骨格２０を組み立てる時に、前記ピン接合巣１４を設置しておくことさえすれば、組み立てを完成できる。
【００２２】
以上をまとめ、本実用新案の技術案は前記発明目的を充分且つ有効に完成でき、且つ本実用新案の構造原理及び機能原理はいずれも既に実施例において充分に検証され、且つ所期の効果及び目的を実現でき、且つ本実用新案の実施例もこれらの原理基づいて変換可能である。従って、本実用新案は特許出願範囲に言及された範囲内の全ての差替内容を含んでいる。本実用新案特許範囲になした如何なる同等な変化は、いずれも本案特許の特許の範囲内に属する。
【符号の説明】
【００２３】
１    傘中棒
１０    傘巣
１１    上傘巣
１２    下傘巣
１３    基体
１４    ピン接合巣
２０    傘面骨格
１３１    接続挿入キー
【図１】
0003194032.tif 000003
【図２】
0003194032.tif 000004
【図３】
0003194032.tif 000005
【図４】
0003194032.tif 000006